(57)【要約】【課題】  角ハンガー、ズボンハンガー、スカートハンガー、衣類ハンガー等に取り付けて、ピンチの数を一時的に増加したり、別体のフックを取り付けて単独使用、もしくは吸盤を利用した付属品を使って、吸着面に簡単な物干し具を設置できる、簡易吊下げ物干し具を提供する。【解決手段】  他のピンチにて挟着縣下可能な機能を有する吊下げ部を有した、棒状（パイプを含む）又は長板状もしくはそれらを組み合わせた形状の本体上に、複数のピンチを設けた事を特徴とする、簡易吊下げ物干し具。【選択図】図１
2017038897.tif 000002
【特許請求の範囲】
【請求項１】
他のピンチにて挟着縣下可能な機能を有する吊下げ部を有した、棒状（パイプを含む）又は長板状もしくはそれらを組み合わせた形状の本体上に、複数のピンチを設けた事を特徴とする、簡易吊下げ物干し具。
【請求項２】
本体の端部にフックを設けた事を特徴とする、請求項１の簡易吊下げ物干し具。
【請求項３】
本体の略中央部に二つ折り機能を有する折り曲げ部を設けた事を特徴とする、請求項１、請求項２の簡易吊下げ物干し具。
【発明の詳細な説明】
【技術分野】
【０００１】  本発明は、既存の角ハンガーを使って洗濯物を干す際にピンチの数が足りなくなり、あといくつかのピンチが必要な時に、角ハンガーに取り付けて一時的にピンチの数を増やし、更にズボンハンガー、衣類ハンガー等に取り付けて、又は着脱フックを取り付けて単独で、更に別体に設けた吸盤利用の保持具及び引張り材を用いて、本体を吸着面に設置して使用できる、簡易吊下げ物干し具に関するものである。
【背景技術】
【０００２】  現在、多くの家庭で洗濯物の乾燥時に角ハンガーが便利に使われているが、時としてピンチの数が足りなくなり、もう少しピンチが必要な時が度々有るが、現在少量の洗濯物を干す適当な物干し具が無く、その様な時にはピンチを全て使わなくても、大きさはさまざまであるが、もう一台の別の角ハンガーを使わなければならなかった。
又、小物等少数の洗濯物を干す際にも、スペースをとる角ハンガーが使われることが多かった。
更に、小物を干す際に、室内には角ハンガーやその他ハンガー類を吊下げる場所が意外と少なく、大変不便を感じていた。
【発明の概要】
【発明が解決しようとする課題】
【０００３】    そのために、つぎのような問題点があった。
（イ）角ハンガーは占有面積が大きく、複数の角ハンガーを使うことにより、物干し場のスペースが大きくとられてしまう。
（ロ）角ハンガーはピンチが絡んで扱いにくい時があるので、複数使用する事により更に作業効率が落ちることがある。
（ハ）干す時のみならず、取り込む際も大きなスペースを取り室内で邪魔になり、大変作業がしにくい。
（ニ）かさばる角ハンガーを複数所持するのは、収納スペースの面から見ても大きなマイナス面がある。
（ホ）室内にはハンガー類を吊下げる場所が意外と少ないため、室内干しの際に大変不便である。
本発明は以上の問題点を解決しようとするものである。
【課題を解決するための手段】
【０００４】    角ハンガー、ズボンハンガー等のピンチにて、本体を縣下可能な機能を有する吊下げ部を備えた棒状もしくは長板状の本体に、洗濯物を吊下げるピンチを複数設けたことを特徴とするものであり、更に別体に設けた着脱フックを取付けて単独使用でき、又は本簡易吊下げ物干し具のピンチにて衣類ハンガーを挟着し本体を縣下して物干し具とし、角ハンガー等を吊下げられない場合に、吸盤利用のアタッチメントと引張り材を用いる事により、吸着面に設置して利用できる、簡易吊下げ物干し具である。
【発明の効果】
【０００５】    本発明は、角ハンガーに洗濯物を装着中にピンチが全て使用された時点で、まだ少数の洗濯物が残っている場合、新たに他の角ハンガーを使うことなく、使用中の角ハンガーに極めて簡単にピンチを追加出来る。
又、ズボンハンガーやスカートハンガーのピンチにて挟着縣下すれば、簡単な物干し具として使用できる。
又、本発明の簡易吊下げ物干し具に設けられた一対のピンチで、一般的に使われている衣類ハンガーに本体を挟着縣下すれば、簡易物干し具として使用できる。
別体に設けた、着脱フックを利用すれば、単体で簡単な物干し具として使用できる。
尚、本発明の簡易吊下げ物干し具本体の端部にフックを設ければ、極めて省スペースで収納することが出来る。
更に、本発明の簡易吊下げ物干し具の一端部を支える吸盤と、別体に設けたフック付吸盤及び本体の吊下げ部とフック付吸盤をつなぐ引張り材（ワイヤー、ひも、チェーン、支持棒等）を利用すれば、ガラス面、冷蔵庫、タイルその他吸盤の使用が可能な吸着面に、簡易吊下げ物干し具を設置して、簡易物干し具とすることが出来る。
更に、本体略中央部に折り曲げ機能を設ければ、コンパクトに収納が出来、旅行等に携行する際に、大変便利になる。
本発明は以上の様な効果を有するが、総じて低コストで製品化可能のため、低価格で大きな利便性を提供することが出来る。
【図面の簡単な説明】
【０００６】
【図１】  本発明の基本形を示す斜視図
【図２】  本発明を角ハンガーに取り付けた使用例を示す斜視図
【図３】  本発明をズボンハンガーに取り付けた使用例を示す斜視図
【図４】  本発明を衣類ハンガーに取り付けた使用例を示す斜視図
【図５】  本発明の本体に、着脱フックを取り付けた使用例を示す斜視図
【図６】  本発明の吊下げ部と角ハンガーのピンチの関係を示す斜視図
【図７】  本発明の本体の端部にフックを取り付けた使用例を示す斜視図
【図８】  本発明の本体の略中央部に折り曲げ機能を設けた使用例を示す斜視図
【図９】  本発明を吸盤及び引張り材を利用して、任意の吸着面に設置した使用例を示す斜視図
【発明を実施するための形態】
【０００７】  以下、本発明の実施の形態について説明する。
パイプ状、棒状、長板状もしくはそれらを組み合わせた形状の本体（１）に、移動、回転可能な機能を有する基部と、他のピンチで挟着可能なリング状又は板状体とからなる吊下げ部（２）を設け、更に本体上のスペースにピンチ（３）を複数配置する。
本発明は以上のような構成で、これを使用する時は、角ハンガーの一対のピンチにて吊下げ部（２）を挟着縣下すれば、角ハンガーのピンチを一時的に、極めて簡単に増加する効果が得られる。
時として、最も外側の一対のピンチにて挟着縣下すると、全体のバランスが崩れ、傾く場合があるが、その様な時には角ハンガーの中央部に取付ければ問題は解決出来る。
【実施例】
【実施例１】
【０００８】  図２で示すように、角ハンガーのピンチ（５）にて挟着縣下する事により、不足したピンチの追加ができる。
【実施例２】
【０００９】  図３で示すように、一対のピンチを有するズボンハンガー（７）等のピンチにて挟着縣下すれば、ズボンハンガー等が小物干し具として利用で出来る。
【実施例３】
【００１０】  図４で示すように、一般的な衣類ハンガー（８）に、本発明に設けられた一対のピンチ（３）で挟着縣下すれば、同様に物干し具として利用出来る。
【実施例４】
【００１１】  図５で示すように、別体に設けられた着脱フック（９）を用いれば、他のハンガー等を用いることなく単体で物干しざお等に掛けて使用する事が出来る。
【実施例５】
【００１２】  図７で示すように、本体（１）の端部にフック（１０）を設ければ、吊り下げて省スペースで収納可能となる。
【実施例６】
【００１３】  図８で示すように、本体（１）の略中央部に折り曲げ部（１１）を設ければ、更にコンパクトに収納可能となり、又旅行等で携行する場合に大変便利となる。
【実施例７】
【００１４】  図９で示すように、フック付吸盤（１２）と本体端部を保持する本体保持吸盤（１３）及び引張り材（１４）を利用することにより、フックが使えない吸着面に設置して物干し具とすることが出来る。
【符号の説明】
【００１４】  １  本体
２  吊下げ部
３  ピンチ
４  角ハンガー
５  角ハンガーのピンチ
６  洗濯物
７  ズボンハンガー
８  衣類ハンガー
９  着脱フック
１０  フック
１１  折り曲げ部
１２  フック付吸盤
１３  本体保持吸盤
１４  引張り材
１５  吸着面
【図１】
2017038897.tif 000003
【図２】
2017038897.tif 000004
【図３】
2017038897.tif 000005
【図４】
2017038897.tif 000006
【図５】
2017038897.tif 000007
【図６】
2017038897.tif 000008
【図７】
2017038897.tif 000009
【図８】
2017038897.tif 000010
【図９】
2017038897.tif 000011